(57)【要約】      （修正有）【課題】事務職の女性にとって必需品であるひざ掛けを利用して姿勢や骨盤を矯正させるための意識付けを他人に見えない状態で行わせることができるようにする。【解決手段】ひざ掛け本体１０と、ひざ掛け本体１０の裏側に着脱可能な伸縮性を持つバンド２０とを備えている。バンド２０を、使用者Ｍの左右の足のひざ上部分Ｆ１に巻き付けられる第１バンド２１と、使用者Ｍの左右の足の足首部分Ｆ２に巻き付けられる第２バンド２５とに分かる。バンド２０の装着箇所では、裏地１５の２箇所に並べて形成した切れ目１６，１７，１８，１９を通してバンド２０をひざ掛け本体１０の表地と裏地１５との間に挿通されている。【選択図】図１
0003135011.tif 000002
【実用新案登録請求の範囲】
【請求項１】
ひざ掛け本体と、このひざ掛け本体の裏側に着脱可能で、装着時に使用者の左右の足に巻き付けられてそれら左右の足に揃え作用を与える伸縮性を持つバンドと、を備えていることを特徴とするひざ掛け。
【請求項２】
上記バンドが、使用者の左右の足のひざ上部分に巻き付けられる第１バンドと、使用者の左右の足の足首部分に巻き付けられる第２バンドとに分かれている請求項１に記載したひざ掛け。
【請求項３】
ひざ掛け本体の裏側に対する上記バンドの装着箇所では、ひざ掛け本体の裏地の２箇所に並べて形成した切れ目を通してバンドがひざ掛け本体の表地と裏地との間に挿通されている請求項１又は請求項２に記載したひざ掛け。
【請求項４】
上記裏地の２箇所の切れ目の少なくとも片側に、切れ目から引き出されている上記バンドを挿通可能なバンド通し帯を設けてある請求項３に記載したひざ掛け。
【請求項５】
上記バンドは、束ねられたひざ掛け本体を結束可能な長さを有している請求項１ないし請求項４のいずれか１項に記載したひざ掛け。
【考案の詳細な説明】
【技術分野】
【０００１】
本考案は、ひざ掛け、特に、日常的にひざ掛けを愛用している使用者の左右の足の姿態を規制することによって、その使用者に姿勢や骨盤を矯正させるための意識付けを行わせることのできるひざ掛けに関する。
【背景技術】
【０００２】
身体の冷えなどを予防するために人の下半身を覆うようにして用いられるひざ掛けは従来より周知であり、夏場の冷房の効いた室内や冬場の室内では、事務職、特に女性にとってはひざ掛けが日常的に愛用されていることが多い。
【０００３】
そこで、ひざ掛けの取扱性を改善するための工夫も従来より提案されている（たとえば、特許文献１参照）。
【０００４】
一方、長時間に亘って同じ姿勢で椅子に座って仕事をするような事務職の人にとっては、左右の足を揃えたまま椅子に座っておくことが姿勢や骨盤の矯正に役立つことが判っているとしても、仕事中にはついつい癖で姿勢を崩してしまったり脚を組んだり開いたりしまったりすることが多く、そのように姿勢を崩したり脚を組んだりすると骨盤などに悪影響を及ぼすおそれがある。
【０００５】
この点に関連して、従来より、姿勢を矯正するために使用される姿勢矯正整体具が知られている（たとえば、特許文献２参照）。このものは、使用者のふくらはぎ部に巻き付けて装着されるゴムバンドと、使用者のひざ関節部に巻き付けて装着されるゴムバンドとを、連結バンドによって斜めに連結してなる。
【特許文献１】特開２００１−３２９４０７号公報
【特許文献２】特開平８−３３２１９６号公報
【考案の開示】
【考案が解決しようとする課題】
【０００６】
上記したように、長時間に亘って同じ姿勢で椅子に座って仕事をするような事務職の人にとっては、仕事中についつい癖で姿勢を崩してしまったり足を組んだり開いたりしまったりすることが多く、そのように姿勢を崩したり足を組んだりすると骨盤などに悪影響を及ぼすおそれがある。そこで、上掲の特許文献２によって提案されている姿勢矯正整体具を用いることが考えられるけれども、この姿勢矯正整体具は、片足に装着されるものであるので、両足を揃えさせる作用を発揮させ得ない。また、このものは、その装着部分が外から見えるために、オフィスで使用しにくいことは勿論、他人の目に晒される車内などでも使用しにくいということが云える。
【０００７】
本考案は以上の状況の下でなされたものであり、特に事務職の女性にとっては必需品として使用されているひざ掛けに着目し、そのひざ掛けを利用して姿勢や骨盤を矯正させるための意識付けを他人に見えない状態で行わせることができるようにすることを目的としている。
【課題を解決するための手段】
【０００８】
本考案に係るひざ掛けは、ひざ掛け本体と、このひざ掛け本体の裏側に着脱可能で、装着時に使用者の左右の足に巻き付けられてそれら左右の足に揃え作用を与える伸縮性を持つバンドと、を備えている。この構成であれば、ひざ掛け本体で使用者の下半身を覆うことによってひざ掛け本来の作用である身体の冷えを予防する作用が発揮される。また、ひざ掛け本体の裏側に装着したバンドを使用者の左右の足に巻き付けて左右の足を揃えておくと、使用者がついつい癖で足を組んだり開いたりするときの自由が制限されるために、使用者にとっては癖で足を組んだり開いたりしようとしたときに、足を組んだり開いたりしないような意識付けが行われる。したがって、本考案に係るひざ掛けを使用すると、身体の冷えを予防することができるだけでなく、姿勢や骨盤の矯正を矯正するための意識付けを使用者に与えることができるようになる。さらに、バンドはひざ掛け本体の裏側に装着されるために、そのバンドを使用して両足を揃えている状態が他人に見えない。そのために、オフィスや車内でも人目を気にせずに使用することができるという利点もある。
【０００９】
本考案では、上記バンドが、使用者の左右の足のひざ上部分に巻き付けられる第１バンドと、使用者の左右の足の足首部分に巻き付けられる第２バンドとに分かれていることが望ましい。この構成であると、使用者の左右の足のひざ上部分だけ、あるいは、足首部分だけをバンドを用いて揃えたり、ひざ上部分と足首部分との両方をバンドを用いて揃えたりすることを適宜選択することが可能になる。そのため、使用者にとっての使い勝手が向上する。また、ひざ上部分と足首部分との両方をバンドを用いて揃えておくと、上記した姿勢や骨盤を矯正させるための意識付けをより強く使用者に与えることができるようになる。
【００１０】
本考案において、ひざ掛け本体の裏側に対する上記バンドの装着箇所では、ひざ掛け本体の裏地の２箇所に並べて形成した切れ目を通してバンドがひざ掛け本体の表地と裏地との間に挿通されていることが望ましい。この構成を採用すると、ひざ掛け本体に装着したバンドをひざ掛け本体に対してスライドさせて切れ目からの引出し長さを増減することができるためにバンドを足に巻付けやすくなる。
【００１１】
本考案では、上記裏地の２箇所の切れ目の少なくとも片側に、切れ目から引き出されている上記バンドを挿通可能なバンド通し帯を設けてある、という構成を採用することも可能であり、これによれば、バンドをバンド通し帯に通したり通さなかったりすることによって、ひざ掛け本体に対するバンドの装着部分の長さを増減調節することが可能になる。そして、そのようにバンドの装着部分の長さを増減調節することを通じて、ひざ掛け本体を使用者の両足にしっかりと被せたり軽く被せたりすることの調整を行うことができるようになる。
【００１２】
本考案において、上記バンドは、束ねられたひざ掛け本体を結束可能な長さを有していることが望ましい。これによれば、ひざ掛け本体を使用しないときに、そのひざ掛け本体をコンパクトに畳んで保管したり持ち運んだりすることができるほか、特に、結束専用のバンドを別途用いて折り畳んだひざ掛け本体を束ねておく必要がないという利点もある。
【考案の効果】
【００１３】
以上のように、本考案によれば、特に事務職の女性にとっては必需品として使用されているひざ掛けを利用して姿勢や骨盤を矯正させるための意識付けを他人に見えない状態で行わせることができるようになるので、ひざ掛け本来の作用である身体の冷えを予防するという作用と共に、オフィスや車内で人目を気にせずに、使用者に姿勢や骨盤を矯正させるための意識付けを行わせることができるという効果が奏される。
【考案を実施するための最良の形態】
【００１４】
図１は本考案の実施形態によるひざ掛けＡを裏返して示した平面図、図２は図１のＩＩ−ＩＩ線に沿う部分を説明的に示した断面図、図３は図１のＩＩＩ−ＩＩＩ線に沿う部分を説明的に示した断面図、図４は使用状態説明図、図５はひざ掛け本体１０を折り畳んで結束した状態の説明図である。
【００１５】
図１〜図３のように、図例のひざ掛けＡは、柔軟な布を用いて作られている矩形のひざ掛け本体１０と、このひざ掛け本体１０の裏側に着脱可能なバンド２０とを備えていて、バンド２０は、使用者の左右の足のひざ上部分に巻き付けられる第１バンド２１と、使用者の左右の足の足首部分に巻き付けられる第２バンド２５とに分かれていて、第１及び第２の各バンド２１，２５にはそれら自体に伸縮性が備わっているゴムバンドや布被覆ゴムバンドなどを用いることが可能である。
【００１６】
ひざ掛け本体１０は、表地１１と裏地１５とを備えている。そして、上記した第１バンド２１の装着箇所では、ひざ掛け本体１０の裏地１５の２箇所に並べて形成されている切れ目１６，１７を通して第１バンド２１がひざ掛け本体１０の表地１１と裏地１５との間に挿通されている。図２に仮想線で示したように、裏地１５の片側及び他側の各切れ目１６，１７から引き出された第１バンド２１は、輪形にしてその両方の端部同士を連結することができるようになっている。そして、図例では、その連結を行うための手段として、ホック３１とその相手方であるホック受け３２とを採用している。なお、ホック３１を第１バンド２１の片側部分の複数箇所に設けてあって、第１バンド２１の他側部分に設けた１つのホック受け３２に１つのホック３１を選択的に着脱することができるようになっている。また、裏地１５の２箇所に形成されている切れ目１６，１７の相互間隔が１０〜２０ｃｍ程度に定められていて、一方側の切り目１６の横の１箇所又は２箇所（図例では２箇所）に、その切り目１６から引き出されている第１バンド２１を挿通可能なバンド通し帯３１を縫着してある。
【００１７】
以上説明した第１バンド２１についての装着箇所での構成と同様の構成が、第２バンド２５についての装着箇所の構成にも採用されている。すなわち、図１において、１８，１９は裏地１５に形成されている切れ目、３３はホック、３４はホック受け、４２はバンド通し帯である。また、第１バンド２１は、ひざ掛け本体１０の装着時に使用者の左右の足のひざ上部分に巻き付けてその左右の足を揃えさせるために用いるものであるのに対し、第２バンド２５は、ひざ掛け本体１０の装着時に使用者の左右の足首部分に巻き付けてその左右の足を揃えさせるために用いるものであるので、ひざ掛け本体１０に対する各バンド２１，２５の装着位置は、それぞれの用途に適するように選定されている。
【００１８】
次に実施形態のひざ掛けＡの使用状態を図４を参照して説明する。たとえば椅子Ｃに座っている使用者Ｍが、自らの姿勢や骨盤の矯正について意識付けを行うときには、図４のように左右の両足や腰部を含む下半身にひざ掛け本体１０を被せることと、ひざ掛け本体１０の裏側に装着されているバンド２０のうち、第１バンド２１で左右の足のひざ上部分Ｆ１に巻き付けて両足を揃えさせることと、第２バンド２５を左右の足首部分Ｆ２に巻き付けて両足を揃えさせることと、を行う。こうしておくと、使用者Ｍが着座姿勢を保っている間についつい癖で足を組んだり開いたりしようとしたときには、そのような動作の自由が第１バンド２１や第２バンド２５によって発揮される足揃え作用によって制限を受けることになる。そのために、使用者Ｍにとっては癖で足を組んだり開いたりしようとしたときに、足を組んだり開いたりしないような意識付けが行われる。また、使用者Ｍにとっては、ひざ掛け本体１０による保温作用によって身体の冷えが予防される。
【００１９】
さらに、このような使用状態において、第１バンド２１や第２バンド２５はひざ掛け本体１０の裏側に装着されているので、それらのバンド２１，２５自体やそれらのバンド２１，２５を使用して両足を揃えている状態が他人からはまったく見えないので、使用者Ｍは人目を気にすることなく上記の意識付けされている状態を維持することが可能になるという利点がある。
【００２０】
この実施形態では、第１バンド２１や第２バンド２５が伸縮性を備えていることに加えて、複数のホック３１，３３から適宜選択した１つのホックをホック受け３２，３４に装着することができるようになっていることにより、第１及び第２の各バンド２１，２５によって形作られる輪形のサイズを増減調節したり両足のひざ上部分Ｆ１や足首部分Ｆ２への締付け強さを増減調節したりすることが可能である。そのために、使用者Ｍはその両足が第１及び第２の各バンド２１，２５によって揃えられているとしても、それによって大きな負担が強いられないようにすることができるという利点もある。
【００２１】
図４では第１及び第２の両方のバンド２１，２５を使用して両足を揃える使用事例を示したけれども、この点は、たとえば、第１バンド２１だけを使用して両足を揃えるようにしても、第２バンド２５だけを使用して両足を揃えるようにしてもよい。また、両足を揃えて姿勢や骨盤の矯正についての意識付けを行う必要がないときには、両方のバンド２１，２５を使用せずにひざ掛け本体１０を下半身に被せるようにして使用することも可能である。さらに、第１及び第２の各バンド２１，２５が不要なときには、それらをひざ掛け本体１０から取り外しておくことも可能である。
【００２２】
さらに、この実施形態では、第１及び第２の各バンド２１，２５を裏地１５の切れ目１６，１７，１８，１９に挿通させるだけでなく、切れ目１６，１８の片側にバンド通し帯４１，４２を設けてそのバンド通し帯４１，４２に第１及び第２の各バンド２１，２５を挿通させることも可能になっている。そのため、第１及び第２の各バンド２１，２５をバンド通し帯４１，４２に通したり通さなかったりすることによって、ひざ掛け本体１０に対する各バンド２１，２５の装着部分の長さを増減調節することが可能である。そして、そのように各バンド２１，２５の装着部分の長さを増減調節することを通じて、ひざ掛け本体１０を使用者の両足にしっかりと被せたり軽く被せたりすることの調整を行うことができるという利便もある。
【００２３】
上記ひざ掛け本体１０は使用しないときにはコンパクトに折り畳んで保管することが望まれる。そこで、この実施形態では、第１バンド２１又は第２バンド２５に、コンパクトに折り畳んだひざ掛け本体１０を結束することのできる長さを具備させて、それらの第１バンド２１又は第２バンド２５を用いて、図５のようにコンパクトに折り畳んだひざ掛け本体１０を結束することができるようにしてある。
【図面の簡単な説明】
【００２４】
【図１】本考案の実施形態によるひざ掛けを裏返して示した平面図である。
【図２】図１のＩＩ−ＩＩ線に沿う部分を説明的に示した断面図である。
【図３】図１のＩＩＩ−ＩＩＩ線に沿う部分を説明的に示した断面図である。
【図４】使用状態説明図である。
【図５】ひざ掛け本体を折り畳んで結束した状態の説明図である。
【符号の説明】
【００２５】
Ａ  ひざ掛け
Ｆ１  ひざ上部分
Ｆ２  足首部分
１０  ひざ掛け本体
１１  表地
１５  裏地
１６，１７，１８，１９  切れ目
２０  バンド
２１  第１バンド
２５  第２バンド
４１  バンド通し帯
【図１】
0003135011.tif 000003
【図２】
0003135011.tif 000004
【図３】
0003135011.tif 000005
【図４】
0003135011.tif 000006
【図５】
0003135011.tif 000007